(57)【要約】【課題】コイル容器の重量を軽減し、装置の軽量化を図ると共に、超電導コイルと容器外部とのアクセスの自由度を高めた超電導磁石装置を得る。【解決手段】高温超電導線材を巻回した高温超電導コイル１をコイル容器２に収容し、それらを輻射熱シールド板３で包囲し、更に全体を真空の外槽４に収納し、高温超電導コイル１をコイル支持部材５によって外槽に固定する超電導磁石装置２１であって、高温超電導線材として、補強高温超電導線材を使用し、コイル容器２は、コイル支持部材５の近傍に限定して部分的に設け、コイル容器２を介して高温超電導コイル１をコイル支持部材５に保持し外槽１に固定するように構成した。【選択図】図１
2008210857.tif 000002
【特許請求の範囲】
【請求項１】
高温超電導線材を巻回して形成された高温超電導コイルと、上記高温超電導コイルを収容するコイル容器と、上記高温超電導コイル及び上記コイル容器を包囲して設けられ輻射熱の侵入を防ぐ輻射熱シールド板と、上記輻射熱シールド板を包囲して設けられ内部を真空断熱する外槽と、上記高温超電導コイルを保持して上記外槽に固定するコイル支持部材とを備えた超電導磁石装置において、
上記高温超電導線材は、補強高温超電導線材を使用し、上記コイル容器は、上記コイル支持部材の近傍に限定して設け、上記コイル容器を介して上記高温超電導コイルを上記コイル支持部材に保持するようにしたことを特徴とする超電導磁石装置。
【請求項２】
請求項１記載の超電導磁石装置において、上記高温超電導コイルのコイル等価ヤング率を５５ＧＰａ以上としたことを特徴とする超電導磁石装置。
【発明の詳細な説明】
【技術分野】
【０００１】
この発明は、例えば、磁気浮上式鉄道に使用される超電導磁石装置に関し、特に高温超電導コイルを包囲収容したコイル容器に関するものである。
【背景技術】
【０００２】
磁気浮上式鉄道に使用される超電導磁石装置において、従来の超電導材料に替えて、高温超電導材料を用いた超電導磁石装置の研究開発が進められている。高温超電導磁石装置の高温超電導コイルは、従来の液体ヘリウム温度（４Ｋ）で使用されてきた、いわゆる低温超電導コイルに較べ、その臨界温度が高い。例えば、ビスマス系の線材では、液体水素温度（２０Ｋ）での利用ができるようになってきた。また、伝熱経路を介して冷凍機により冷却される伝導冷却型の高温超電導コイルが一般的で、臨界温度以下の予め定められた温度でも運転ができるようになってきた。
高温超電導コイルを利用した超電導磁石装置としては、例えば、冷凍機を備えた真空容器で包囲形成された熱輻射シールドと、この熱輻射シールドに収容し、コイル容器で包囲収容した高温超電導コイルと、冷凍機とコイル容器とを互いに接続させる伝熱体とを備えた高温超電導マグネットの技術が開示されている（例えば、特許文献１参照）。
【０００３】
【特許文献１】特開２００１−１２６９１６号公報（第２頁、図７）
【発明の開示】
【発明が解決しようとする課題】
【０００４】
現在広く利用されている高温超電導線材は、テープ状で、その線材に働く応力に対する臨界電流密度の劣化が大きい。例えば、磁気浮上式鉄道では、コイル自身の起磁力が大きく運用時には過大なフープ応力を生じる。また、走行時には地上コイルとの間で電磁力が作用するため過大な振動に耐え得る構成が必要である。上記特許文献１に示す高温超電導マグネットにおいても、高温超電導コイルは、全周にわたって堅牢なコイル容器で包囲収容されている。このため、コイル容器が重量物になり、装置全体の重量が増すと共に、冷凍機から接続される伝導冷却部材のコイル面への接続、コイル電流リードの外部への引き出しなど、超電導コイルと容器外部とのアクセスが複雑になるという問題点があった。
【０００５】
この発明は、上記のような問題点を解決するためになされたもので、コイル容器の重量を軽減し、装置の軽量化を図ると共に、超電導コイルと容器外部とのアクセスの自由度を高めた超電導磁石装置を得ることを目的とする。
【課題を解決するための手段】
【０００６】
この発明に係わる超電導磁石装置は、高温超電導線材を巻回して形成された高温超電導コイルと、高温超電導コイルを収容するコイル容器と、高温超電導コイル及びコイル容器を包囲して設けられ輻射熱の侵入を防ぐ輻射熱シールド板と、輻射熱シールド板を包囲して設けられ内部を真空断熱する外槽と、高温超電導コイルを保持して外槽に固定するコイル支持部材とを備えた超電導磁石装置において、
高温超電導線材は、補強高温超電導線材を使用し、コイル容器は、コイル支持部材の近傍に限定して設け、コイル容器を介して高温超電導コイルをコイル支持部材に保持するようにしたものである。
【発明の効果】
【０００７】
この発明の超電導磁石装置によれば、高温超電導コイルの線材に補強高温超電導線材を使用し、コイル支持部材の近傍に限定してコイル容器を設け、そのコイル容器を介して高温超電導コイルをコイル支持部材に保持して外槽に支持固定するようにしたので、コイル容器を高温超電導コイルの全周ではなく部分的に設けたことにより超電導磁石装置を軽量化できると共に、コイル容器のない高温超電導コイルの裸部分に冷凍機からの伝導冷却部材や電流リードを接続できるため、超電導コイルと外部とのアクセスの自由度に優れた超電導磁石装置を得ることができる。
【発明を実施するための最良の形態】
【０００８】
実施の形態１．
図１は本発明の実施の形態１による超電導磁石装置を示す図で、真空容器である外槽の内側を正面から見たときの構成図であり、図２は図１の矢印II−II方向から見た断面図である。
【０００９】
超電導磁石装置を説明する前に、本発明の超電導磁石装置が適用される磁気浮上式鉄道について間単に説明する。図５は、一般的な磁気浮上式鉄道の概略図である。
図５に示すように、超電導磁石装置２１は、車両２２の下部に配置された台車２３の両側に取り付けられている。地上側に敷設されたＵ字型のガイドウェイ２４の内壁面に、台車２３側の超電導磁石装置２１と対向するように、地上コイル２５が設置されている。この地上コイル２５と超電導磁石装置２１とが電磁気的に作用することにより、車両２２を浮上走行させるように構成されている。
【００１０】
次に、図１、２に戻り本発明の超電導磁石装置について説明する。
図１の構成図において、超電導磁石装置２１は、後述の補強高温超電導線材をレーストラック状に巻回して形成した高温超電導コイル１と、高温超電導コイル１を部分的に包囲収容するコイル容器２と、高温超電導コイル１及びコイル容器２を収容し外部からの輻射熱の侵入を抑制する輻射熱シールド板３と、その外側にあって外部の常温部からの熱の侵入を防止するため内部を真空断熱した外槽４と、高温超電導コイル１を保持し外槽４に結合して固定するコイル支持部材５とを備えている。更に、外槽４の外側には高温超電導コイル１を冷却するための冷凍機６が設けられ、この冷凍機６と高温超電導コイル１および輻射熱シールド板３との間に伝導冷却部材７を介在させて伝導冷却している。また、高温超電導コイル１に外部から電流を供給する電流リード８を備えている。
【００１１】
図２の断面図により、高温超電導コイル１について更に詳しく説明する。
高温超電導コイル１は、図２中の拡大図に示すように、テープ状をした高温超電導線材を複数層、複数列、レーストラック状に巻回して構成している。本実施の形態の発明では、この高温超電導線材として補強高温超電導線材１１を使用しているところに特徴を有する。補強高温超電導線材１１は、例えば、ビスマス系の酸化物高温超電導体からなる高温超電導体素材１２を基材の中に埋め込んで平たく形成し、その両面から補強材としてＳＵＳテープでサンドイッチ状に挟みハンダ付けして３層構造とし、それを被覆層で被覆してテープ状の線材としたものである。
補強高温超電導線材１１は、補強のない高温超電導線材に比べ、強度的に優れているため、ハンドリング性が向上し、コイル巻き時の作業が容易となる。
【００１２】
コイル容器２は、高温超電導コイル１の全体を覆うように形成するのではなく、コイル支持部材５の近傍に限定して部分的に形成している。そして、コイル容器２をコイル支持部材５に連結して保持し、そのコイル支持部材５を外槽１に結合することによって、高温超電導コイル１を外槽４に支持固定している。コイル容器２及びコイル支持部材５の支持位置は図の位置に限定するものではなく、高温超電導コイル１の大きさによって適宜決めればよい。
伝導冷却部材７及び電流リード８と高温超電導コイル１との接続は、コイル容器２がなく高温超電導コイル１が露出している部分で行っているので、接続構造が簡単となる。
【００１３】
このように、本発明は、高温超電導コイル１の高温超電導線材に補強高温超電導線材１１を適用することにより、コイル容器２をコイル支持部材５近傍にのみ限定して使用することを可能としたものであるが、次に、強度的にこのようなコイル容器２の形状を可能とした理由について説明する。
【００１４】
従来の補強無し高温超電導線材を使用した高温超電導コイルの場合は、線材に働く応力に対する臨界電流密度の劣化が大きいので、コイルとして成形する段階で、線材発生応力を極力低減する必要があり、このため、コイル全周にわたって堅牢な厚肉のコイル容器で包囲収容する必要があった。
【００１５】
磁気浮上式鉄道に使用する超電導磁石装置として、低温超電導線材を用いた超電導コイル（以下、従来コイルと称する）は実用レベルに達しており、実際に使用される超電導磁石装置としての大きさもほぼ固まってきている。そこで、従来コイルを高温超電導コイルに代替することを考慮し、本発明による高温超電導コイルを従来コイルとほぼ同等の大きさに構成した場合、従来コイルと同等以上の強度を得るためのコイル強度について以下に説明する。
低温超電導線材を用いた従来コイルも、超電導コイル全体をコイル容器に収納しているので、コイル容器に収納した従来コイルと、コイル容器無しの本発明の高温超電導コイルとを比較する。
【００１６】
図３は高温超電導コイルのコイル等価ヤング率とコイル断面曲げ剛性の関係をグラフに表した図である。図を説明する前に、横軸の「コイル等価ヤング率」という言葉について説明する。高温超電導コイル１は、図２の拡大図に示すように、補強高温超電導コイル線材１１以外に層間や列間に挿入した絶縁物や接着ワニス等を含む複合材料で成り立っているので、複合材としてのコイルのヤング率を「コイル等価ヤング率」と称している。
【００１７】
従来コイルと同等の断面積とした場合の、本発明の高温超電導コイル１のコイル断面曲げ剛性とコイル等価ヤング率との関係を、図中に実線で示している。コイル断面は、高さ方向（図２の断面図では上下方向）が大きい矩形状をしており、上側の実線は高さ方向の曲げ剛性、下側の実線は幅方向の曲げ剛性である。
これに対し、所定の大きさの従来コイルの超電導コイルとコイル容器とを合成したコイル断面曲げ剛性を、図中のＸ軸方向に破線で示している。すなわち、従来コイルの高さ方向の曲げ剛性（Ｅ×Ｉ）は、４．６×１０１１（Ｎｍｍ２）、幅方向の曲げ剛性は、２．３×１０１１（Ｎｍｍ２）である。
グラフから、本発明の高温超電導コイル１のコイル等価ヤング率を５５ＧＰａ以上とすれば、高さ方向及び幅方向共に、従来コイルの曲げ剛性と同等以上の曲げ剛性を得られることが分かる。
【００１８】
入手可能な範囲の補強高温超電導線材を利用して、コイル等価ヤング率を５５ＧＰａ以上に構成するために、所定の大きさの断面に占める補強高温超電導線材１１の割合、すなわち線材占積率をどの程度にすればよいかについて説明する。
図４は、補強高温超電導線材１１を使用した場合の、線材占積率とコイル等価ヤング率の関係を示す図である。線材として３種類を用意して検討した。線材Ａはヤング率Ｅ＝８０ＧＰａ、線材Ｂはヤング率Ｅ＝７０ＧＰａ、線材Ｃはヤング率Ｅ＝６０ＧＰａである。この図から、例えば、線材Ａを使用する場合は占積率を約７０％以上、線材Ｂでは約８０％以上とすれば良いことが分かる。
【００１９】
以上の結果より、例えば補強高温超電導線材１１としてヤング率８０ＧＰａのものを選定し線材占積率を７０％以上で高温超電導コイル１を構成すれば、従来コイルの（超電導コイル＋コイル容器）の曲げ剛性と同等の曲げ剛性を得ることができる。
従って、そのような構成にすれば、実運用において高温超電導コイルがフープ応力を生じても従来コイル並の曲げ剛性を有しているため、従来コイルと同様に使用にすることができる。また、走行時に地上コイルとの間で作用する電磁力に関しては、コイル支持部材との力の伝達に必要な箇所（荷重伝達部）がコイル容器と接続されていればよい。
【００２０】
コイル容器２は、高温超電導コイル１の外槽４への荷重伝達部となるコイル支持部材５近傍に部分的に残す構成としたが、上記のように、本発明の高温超電導コイル１は従来コイル並の等価ヤング率を有しており、コイル容器で包囲収容することによる補強が不要であるため、コイル支持が可能な構成であれば、コイル容器は必ずしも残す必要はない。
【００２１】
以上にように、本実施の形態の超電導磁石装置によれば、高温超電導コイルの線材に補強高温超電導線材を適用し、コイル支持部材の近傍に限定してコイル容器を設け、そのコイル容器を介して高温超電導コイルをコイル支持部材に保持して外槽に支持固定するようにしたので、コイル容器を高温超電導コイルの全周ではなく部分的に設けたことにより超電導磁石装置を軽量化でき、また、伝導冷却部材は、高温超電導コイルの露出部と容易に取合うことができ、高温超電導コイルを励磁する電流リードの引き出しも容易になり、引き出し部位や施工に自由度が増す超電導磁石装置を得ることができる。
【００２２】
また、高温超電導コイルの等価ヤング率を５５ＧＰａ以上としたので、従来の低温超電導磁石装置の場合の超電導コイル全体をコイル容器に収納したものと同等のコイル断面曲げ剛性を得ることができ、実運用に耐えられる超電導磁石装置を得ることができる。
【図面の簡単な説明】
【００２３】
【図１】この発明の実施の形態１による超電導磁石装置を示す構成図である。
【図２】図１の矢印II−II方向から見た断面図である。
【図３】この発明の実施の形態１による超電導磁石装置の、高温超電導コイルのコイル等価ヤング率とコイル断面曲げ剛性の関係を示す図である。
【図４】この発明の実施の形態１による超電導磁石装置の、線材占積率とコイル等価ヤング率の関係を示す図である。
【図５】一般的な磁気浮上式鉄道の概略図である。
【符号の説明】
【００２４】
１  高温超電導コイル                  ２  コイル容器
３  輻射熱シールド板                  ４  外槽
５  コイル支持部材                    ６  冷凍機
７  伝導冷却部材                      ８  電流リード
１１  補強高温超電導線材              １２  高温超電導体素材
２１  超電導磁石装置。
【図１】
2008210857.tif 000003
【図２】
2008210857.tif 000004
【図３】
2008210857.tif 000005
【図４】
2008210857.tif 000006
【図５】
2008210857.tif 000007